(57)【特許請求の範囲】
【請求項１】
冷凍サイクルを構成する圧縮機及び蒸発器を備え、該蒸発器により室内が冷却される冷凍室を有する冷蔵庫において、
前記冷凍室の設定温度を入力する入力手段と、前記入力手段から入力された前記設定温度を記録する記録装置と、前記冷凍室内の温度を検出する温度検出手段と、前記設定温度及び前記温度検出手段により検出された温度情報に基づいて前記圧縮機を制御する制御手段と、遠隔した位置から前記冷凍室へ収納する物品の包装形態情報及び重量情報を受信する通信装置とを備え、
前記制御手段は、前記包装形態情報及び前記重量情報を受信後、前記包装形態情報及び前記重量情報に基づいて前記冷凍室内の温度が前記記録装置に記録された前記設定温度よりも低い予冷温度を決定し、該予冷温度となるように前記圧縮機の運転を制御した後に、前記圧縮機を制御することにより冷凍室内の温度が前記設定温度となるように運転を切替えることを特徴とする冷蔵庫。
【請求項２】
請求項１において、前記制御手段は、冷凍室の一定時間以上の開放、冷凍室庫内温度の一定値以上の上昇、冷凍室の庫内収納物品増加、低い庫内温度になるように運転を開始してからの一定時間以上の時間経過、又は、解除スイッチの操作により、前記設定温度となるように前記圧縮機の運転を制御することを特徴とする冷蔵庫。
【請求項３】
請求項１又は２において、更に、情報を取得しても前記制御手段は、前記冷凍室内の温度が前記記録装置に記録された前記設定温度よりも低い前記予冷温度に維持するように前記圧縮機の運転を制御する保留スイッチを備えた冷蔵庫。
【請求項４】
冷凍サイクルを構成する圧縮機及び蒸発器を備え、該蒸発器により室内が冷却される冷凍室及び冷蔵室を有する冷蔵庫において、
前記冷凍室及び前記冷蔵室の設定温度を入力する入力手段と、前記入力手段から入力された設定温度を記録する記録装置と、前記冷凍室及び前記冷蔵室内の温度を検出する温度検出装置と、前記設定温度及び前記温度検出装置により検出された温度情報に基づいて前記圧縮機を制御する制御手段と、遠隔した位置から前記冷蔵室に収納する物品の包装形態情報及び重量情報を受信する受信装置とを備え、
前記制御手段は、前記包装形態情報及び前記重量情報を受信後、前記包装形態情報及び前記重量情報に基づいて前記冷凍室内の温度が前記記録装置に記録された前記設定温度よりも低い予冷温度を決定し、該予冷温度となるように前記圧縮機の運転を制御した後に、前記圧縮機を制御することにより前記冷凍室内の温度が前記設定温度となるように運転を切替えることを特徴とする冷蔵庫。
【請求項５】
請求項１乃至４のいずれかにおいて、前記冷凍室に蓄熱材を備えた冷蔵庫。
【発明の詳細な説明】
【０００１】
【発明の属する技術分野】
本発明は、冷蔵庫に関する。
【０００２】
【従来の技術】
遠隔地より冷蔵庫の運転状況を確認し、庫内温度を設定する技術としては、特開２００１−１４７０７５号公報（以下従来例１と呼ぶ）がある。以下、従来例１について図１１を用いて説明する。図１１において、１０１は冷蔵庫本体であり、冷凍室１０２及び冷蔵室１０３を備えている。１０４は圧縮機、１０５は凝縮器、１０６は蒸発器、１０７は冷蔵室１０３の庫内温度により冷蔵室１０３への冷気供給を制御するダンパである。１０８は冷凍室温度センサ、１０９は冷蔵室温度センサである。
【０００３】
１１０は冷凍室温度センサ１０８により庫内温度を検知する冷凍室温度検知手段、１１１は冷凍室に設定された庫内温度を出力する冷凍室温度設定値決定手段、１１２は冷凍室温度設定値決定手段１１１で設定された設定温度値より冷凍室温度検知手段１１０で検知された温度の方が高ければ圧縮機１０４を運転する圧縮機制御手段である。
【０００４】
１１３は冷蔵室温度センサ１０９により庫内温度を検知する冷蔵室温度検知手段、１１４は冷蔵室に設定された庫内温度を出力する冷蔵室温度設定値決定手段、１１５は冷蔵室温度設定値決定手段１１４で設定された設定温度値より冷蔵室温度検知手段１１３で検知された温度の方が高ければダンパ１０７を開放するダンパ制御手段である。１１６は時間を積算し所定の時間毎に信号を出力する送信タイマである。
【０００５】
１１７は冷蔵庫送信手段であり、送信タイマ１１６から信号を受信した場合及びリモコン１２１からの要求信号を受信した場合に、冷凍室温度検知手段１１０で検知した温度値と、冷蔵室温度検知手段１１３で検知した温度値とを、各々の内容が解析できるように予め決められたコマンド等を付加して後述するリモコン１２１に送信する。１１８は双方向のデータ通信が可能な通信装置である。１１９は受信手段であり、冷蔵庫本体１０１の通信装置１１８を介してデータを受信するものである。
【０００６】
１２０は受信手段１１９で受信したデータの内容を予め決められたコマンド等から解析する冷蔵庫データ解析手段である。１２１は冷蔵庫本体１０１と双方向のデータ通信が可能なリモコンである。１２２はリモコン１２１上に搭載される表示器である。１２３はスイッチ群であり、冷蔵庫の温度設定を行うために使用するスイッチとしては、冷蔵室１０３と冷凍室１０２を切替える室切換スイッチ１２３１と、設定温度を低く変更する低設定変更スイッチ１２３２と、設定温度を高く変更する高設定変更スイッチ１２３３で構成されている。
【０００７】
１２４は庫内温度設定手段であり、冷蔵庫使用者からのスイッチ群１２３の操作によって冷凍室１０２の温度を設定する冷凍室温度設定手段１２４１や、冷蔵室１０３の温度を設定する冷蔵室温度設定手段１２４２を備える。１２５は庫内温度設定手段１２４で設定した設定データをデータの内容が解析できるように予め決められたコマンド等を付加して冷蔵庫に送信するリモコン送信手段である。１２６はリモコン１２１の通信装置１１８によってデータを受信するリモコン受信手段である。１２７はリモコンデータ解析手段であり、リモコン受信手段１２６で受信したデータの内容を予め決められたコマンド等から解析する。
【０００８】
以上のように構成された冷蔵庫では、冷凍室温度センサ１０８、冷蔵室温度センサ１０９による庫内温度の検知を行い、送信タイマ１１６でカウントされた時間が所定時間だけ経過すれば冷凍室温度と冷蔵室温度とからなる温度データをリモコン１２１側に送信する。
【０００９】
リモコン１２１側では、冷蔵庫側からの通信データの有無を監視し、温度データがあれば温度データの受信を行い、温度データの解析を行い、新しい温度データを表示手段１２９により冷凍室温度及び冷蔵室温度とを表示器１２２に表示する。
【００１０】
リモコン１２１側から冷蔵庫へのデータ送信時の動作は以下の通りである。室切換スイッチ１２３１がＯＮされたとき、表示器１２２上に冷蔵室１０３が選択された状態であれば、冷蔵室１０３から冷凍室１０２に選択状態を切替える。逆に冷凍室１０２が選択状態であったならば、冷蔵室１０３を選択状態に切替える。
【００１１】
続いて、低設定変更スイッチ１２３２あるいは高設定変更スイッチ１２３３がＯＮされたならば、庫内温度設定手段１２４で選択状態の室の温度設定を変更し、設定変更された温度を表示器１２２に表示する。次にリモコン送信手段１２５により設定変更した温度設定データを冷蔵庫本体１０１側へ送信する。
【００１２】
冷蔵庫側においては、リモコン１２１側からの通信データの有無を監視し、データがあればデータの受信を行い、受信したデータの解析を行い、冷凍室温度設定データあるいは冷蔵室温度設定データを抽出し、冷凍室温度設定値決定手段１１１又は冷蔵室温度設定値決定手段１１４で温度設定値を決定する。
【００１３】
上記のように従来例１は、冷蔵庫本体１０１とリモコン１２１とでデータ通信を可能とし、ユーザーが冷蔵庫から離れた場所から冷蔵庫内の温度設定をできるようにしたものである。
【００１４】
【発明が解決しようとする課題】
しかしながら、冷蔵庫の使用者が、例えば冷蔵庫に収納する物品を購入した際に、遠隔地から冷蔵庫に対して、冷蔵室又は冷凍室に通常使用している設定温度よりも低い設定温度を送信し、予め庫内を通常温度よりも低い温度としておき、物品を冷蔵庫に収納する時の温度上昇を抑制しようと考えた場合、上記従来例１では、冷蔵庫の使用者自身が、物品の包装形態又は重量に対応して冷蔵庫の設定温度を推量しなくてはならないという問題がある。また、冷蔵庫に物品を収納した後、再び設定温度を変更し直さなくてはいけないという問題点もある。
【００１５】
更に、１つの冷凍サイクルにより、冷凍室及び冷蔵室の両方を冷却する冷蔵庫では、冷却された空気の庫内吹出量を制御することで各々の庫内に設定された温度を維持しようとするが、冷蔵室へ多くの物品を収納すると、冷蔵室の庫内温度が上がることで、冷蔵室への冷却空気吹出量を相対的に上げようとし、結果として、冷凍室の庫内温度まで上昇してしまう問題がある。
【００１６】
本発明の第1の目的は、冷蔵庫の使用者が、適切な温度を推量して、冷凍庫の庫内温度を設定するという手間を省き、物品情報に基づき先ず庫内を通常設定温度よりも冷やし、次に通常設定温度に復帰させる冷蔵庫を提供することにある。
【００１７】
本発明の第２の目的は、冷蔵庫の使用者が、冷蔵室に多量の物品を収納しても、冷蔵室を素早く冷却し、且つ、冷凍室の庫内温度も収納された物品が痛まない温度に維持できる冷蔵庫を提供することにある。
【００１８】
【課題を解決するための手段】
上記第１の目的を達成するために、冷蔵庫は、冷凍サイクルを構成する圧縮機及び蒸発器を備え、該蒸発器により室内が冷却される冷凍室を有する冷蔵庫において、前記冷凍室の設定温度を入力する入力手段と、前記入力手段から入力された前記設定温度を記録する記録装置と、前記冷凍室内の温度を検出する温度検出手段と、前記設定温度及び前記温度検出手段により検出された温度情報に基づいて前記圧縮機を制御する制御手段と、遠隔した位置から前記冷凍室へ収納する物品の包装形態情報及び重量情報を受信する通信装置とを備え、前記制御手段は、前記包装形態情報及び前記重量情報を受信後、前記包装形態情報及び前記重量情報に基づいて前記冷凍室内の温度が前記記録装置に記録された前記設定温度よりも低い予冷温度を決定し、該予冷温度となるように前記圧縮機の運転を制御した後に、前記圧縮機を制御することにより冷凍室内の温度が前記設定温度となるように運転を切替えることを特徴とする。
【００１９】
また、前記制御手段は、冷凍室の一定時間以上の開放、冷凍室庫内温度の一定値以上の上昇、冷凍室の庫内収納物品増加、低い庫内温度になるように運転を開始してからの一定時間以上の時間経過、又は、解除スイッチの操作により、前記設定温度となるように前記圧縮機の運転を制御することを特徴とする。
【００２０】
また、更に、情報を取得しても前記制御手段は、前記冷凍室内の温度が前記記録装置に記録された前記設定温度よりも低い前記予冷温度に維持するように前記圧縮機の運転を制御する保留スイッチを備える。
【００２１】
上記第２の目的を達成するために、冷蔵庫は、冷凍サイクルを構成する圧縮機及び蒸発器を備え、該蒸発器により室内が冷却される冷凍室及び冷蔵室を有する冷蔵庫において、前記冷凍室及び前記冷蔵室の設定温度を入力する入力手段と、前記入力手段から入力された設定温度を記録する記録装置と、前記冷凍室及び前記冷蔵室内の温度を検出する温度検出装置と、前記設定温度及び前記温度検出装置により検出された温度情報に基づいて前記圧縮機を制御する制御手段と、遠隔した位置から前記冷蔵室に収納する物品の包装形態情報及び重量情報を受信する受信装置とを備え、前記制御手段は、前記包装形態情報及び前記重量情報を受信後、前記包装形態情報及び前記重量情報に基づいて前記冷凍室内の温度が前記記録装置に記録された前記設定温度よりも低い予冷温度を決定し、該予冷温度となるように前記圧縮機の運転を制御した後に、前記圧縮機を制御することにより前記冷凍室内の温度が前記設定温度となるように運転を切替えることを特徴とする。
【００２２】
また、冷蔵庫は、冷凍室に蓄熱材を備えることが好ましい。
【００２３】
【発明の実施の形態】
図３は、本発明による第１実施例の冷蔵庫の構成を示す図である。図３を用いて、通常使用時の冷蔵庫の運転、即ち、後述する冷蔵庫に対する物品情報（包装形態情報又は重量情報）の伝達が行われていない間の冷蔵庫運転を説明する。
【００２４】
図３において、１は冷蔵庫、２は冷蔵室、３は冷凍庫、２８は冷蔵室扉、２９は冷凍室扉、４５は断熱壁である。４２は冷蔵室ドアスイッチ、４３は冷凍室ドアスイッチである。冷蔵室ドアスイッチ４２は、冷蔵室扉２８が開放されている間、冷凍室ドアスイッチ４３は、冷凍室扉２９が開放されている間、それぞれが扉開放信号を予冷運転制御手段２５に送信し続ける。４４は予冷解除ボタンである。予冷解除ボタン４４は、予冷解除ボタン４４が押下された際に、予冷解除信号を予冷運転制御手段２５に送信する。
【００２５】
４は圧縮機、５は凝縮器、４０は三方弁、３９は冷凍室用毛細管、３３は冷凍室用蒸発器、３８は冷蔵室用毛細管、３２は冷蔵室用蒸発器である。そして、圧縮機４と、凝縮器５と、三方弁４０と、冷凍室用毛細管３９と、冷凍室用蒸発器３３と、冷蔵室用毛細管３８と、冷蔵室用蒸発器３２とを接続して冷凍サイクル８を構成している。
【００２６】
三方弁４０を冷蔵室方向（以下、「ＲＦ方向」という。）に切替えると、冷凍サイクル８内部の冷媒は、圧縮機４、凝縮器５、三方弁４０、冷蔵室用毛細管３８、冷蔵室用蒸発器３２、冷凍室用蒸発器３３を順に流れて圧縮機４に戻る。また、三方弁４０を冷凍室方向（以下、「Ｆ方向」という。）に切替えると、冷凍サイクル８内部の冷媒は、圧縮機４、凝縮器５、三方弁４０、冷凍室用毛細管３９、冷凍室用蒸発器３３を順に流れて圧縮機４に戻る。
【００２７】
３４は冷蔵室用ファンであり、冷蔵室２の庫内空気を、冷蔵室用蒸発器３２を経由して吸引し、冷蔵室風路３６を経由して冷蔵室２に送風して、冷蔵室２の冷却を行う。３５は冷凍室用ファンであり、冷凍室３の庫内空気を、冷凍室用蒸発器３３を経由して吸引し、冷凍室風路３７を経由して冷凍室３に送風して、冷凍室３の冷却を行う。
【００２８】
１０は冷蔵室２及び冷凍室３の設定温度を入力する入力手段である。１１は第１の記録手段であり、入力手段１０から入力された冷蔵室設定温度ＴＲＳＥＴと、冷凍室設定温度ＴＦＳＥＴとを記録する。また、第１の記録手段１１は、冷蔵室設定温度ＴＲＳＥＴよりも所定の温度だけ高い冷蔵室上限温度ＴＲＨと、冷蔵室設定温度ＴＲＳＥＴよりも所定の温度だけ低い冷蔵室下限温度ＴＲＬと、冷凍室設定温度ＴＦＳＥＴよりも所定の温度だけ高い冷凍室上限温度ＴＦＨと、冷凍室設定温度ＴＦＳＥＴよりも所定の温度だけ低い冷凍室下限温度ＴＦＬとを記録する。
【００２９】
３０は冷蔵室２に設けた冷蔵室温度センサであり、３１は冷凍室３に設けた冷凍室温度センサである。１３は冷蔵室温度センサ３０と冷凍室温度センサ３１とにより、冷蔵室２と冷凍室３との温度を検出する温度検出手段である。
【００３０】
１４は第２の記録手段であり、温度検出手段１３により検出された冷蔵室温度と、冷凍室温度と、冷蔵室上限温度ＴＲＨと、冷蔵室下限温度ＴＲＬと、冷凍室上限温度ＴＦＨと、冷凍室下限温度ＴＦＬとの関係に基づいて、圧縮機４と、三方弁４０と、冷蔵室用ファン３４と、冷凍室用ファン３５との運転制御を行う運転制御規則を記録する。
【００３１】
１５は運転制御手段であり、第２の記録手段１４に記録した運転制御規則に基づいて、圧縮機４と、三方弁４０と、冷蔵室用ファン３４と、冷凍室用ファン３５との制御を行う。運転制御手段１５による圧縮機４と、三方弁４０と、冷蔵室用ファン３４と、冷凍室用ファン３５との運転制御を、図６及び図７を用いて説明する。
【００３２】
図６は、運転制御手段１５による運転制御を示すフローチャートである。尚、本発明の説明で使用するフローチャートは、条件分岐を示すひし形において、条件が成立した場合には下に分岐し、条件が不成立の場合には右に分岐するものとする。図７は、冷蔵室及び冷凍室の各々の温度変化と、圧縮機４と、三方弁４０と、冷蔵室用ファン３４と、冷凍室用ファン３５との制御状況を示す図である。
【００３３】
図６の運転制御スタート時には、圧縮機４と、冷蔵室用ファン３４と、冷凍室ファン３５とは停止しており、三方弁４０はＲＦ方向に向いているものとする。
【００３４】
Ｓ１において、運転制御手段１５は、冷蔵室温度と冷蔵室上限温度ＴＲＨとを比較し、冷蔵室温度が冷蔵室上限温度ＴＲＨ以上の場合にはＳ２に進み、冷蔵室温度が冷蔵室上限温度ＴＲＨ未満の場合には冷蔵室が既に冷却されているものと見なしてＳ５に進む。Ｓ２において、運転制御手段１５は、圧縮機４と冷蔵室用ファン３４を運転し、Ｓ３に進む。Ｓ３において、運転制御手段１５は、冷蔵室温度と冷蔵室下限温度ＴＲＬとを比較し、冷蔵室温度が冷蔵室下限温度ＴＲＬ以下の場合には冷蔵室が冷却されているものと見なしてＳ５に進み、冷蔵室温度が冷蔵室下限温度ＴＲＬよりも高い場合にはＳ４に進む。
【００３５】
Ｓ４において、運転制御手段１５は、冷蔵室用ファン３４の運転開始時からの経過時間ＴＩＭＥ（Ｒ）を所定の時間ＴＳ（Ｒ）と比較し、経過時間ＴＩＭＥ（Ｒ）が所定の時間ＴＳ（Ｒ）以上の場合には冷凍室の冷却が必要であると判断してＳ５に進む。また、経過時間ＴＩＭＥ（Ｒ）が所定の時間ＴＳ（Ｒ）未満の場合には冷蔵室の冷却を継続するためにＳ３に戻る。Ｓ５において、運転制御手段１５は冷蔵室用ファン３４を停止し、Ｓ６に進む。
【００３６】
Ｓ６において、運転制御手段１５は、冷凍室温度と冷凍室上限温度ＴＦＨとを比較し、冷凍室温度が冷凍室上限温度ＴＦＨ以上の場合にはＳ７に進み、冷凍室温度が冷凍室上限温度ＴＦＨ未満の場合には冷凍室が既に冷却されているものと見なしてＳ１０に進む。Ｓ７において、運転制御手段１５は、圧縮機４が停止しているならば圧縮機４を起動し、圧縮機４が運転中ならば運転を継続する。また、運転制御手段１５は、三方弁４０をＦ方向に切替え、冷凍室用ファン３５を運転し、Ｓ８に進む。Ｓ８において、運転制御手段１５は、冷凍室温度と冷凍室下限温度ＴＦＬとを比較し、冷凍室温度が冷凍室下限温度ＴＦＬ以下の場合には冷凍室が冷却されているものと見なしてＳ８に進み、冷凍室温度が冷凍室下限温度ＴＦＬよりも高い場合にはＳ９に進む。
【００３７】
Ｓ９において、運転制御手段１５は、冷凍室用ファン３３の運転開始時からの経過時間ＴＩＭＥ（Ｆ）を所定の時間ＴＳ（Ｆ）と比較し、経過時間ＴＩＭＥ（Ｆ）が所定の時間ＴＳ（Ｆ）以上であればＳ１０に進む。また、経過時間ＴＩＭＥ（Ｆ）が所定の時間ＴＳ（Ｆ）を超えない場合には冷凍室の冷却を継続するためにＳ８に戻る。Ｓ１０において、運転制御手段１５は、圧縮機４及び冷凍室用ファン３５を停止し、三方弁４０をＲＦ方向に切替え、Ｓ１に戻る。
【００３８】
上記のように、冷蔵室と冷凍室とのファンの運転開始時からの経過時間ＴＩＭＥ（Ｒ）又はＴＩＭＥ（Ｆ）を参照して、三方弁４０を切替えることにより、冷蔵室と冷凍室のいずれか一方を冷却している間に他方が許容できないほど高温になることを避けることができる。また、上記のように運転制御を行うことにより、安定時には冷蔵室２及び冷凍室３の温度変化は図７のようになる。
【００３９】
図１は、冷蔵庫に対する冷凍室への物品収納情報の伝達過程を示す第１の図である。冷凍室への物品収納情報の伝達過程を図１により説明する。
【００４０】
図１において、１は冷蔵庫、１８は冷蔵庫に接続された冷蔵庫側屋内通信装置である。２０１は電話機、２０２は電話機２０１に接続された電話機側屋内通信装置であり、有線または無線による屋内通信回線２０３によって、冷蔵庫側屋内通信装置１８と電話機側屋内通信装置２０２は接続されている。１６は物品の販売店に置かれた会計装置、１７は会計装置に接続された会計装置の通信装置である。会計装置の通信装置１７は、公衆回線２０４によって電話機２０１と接続されている。
【００４１】
また、２０５は公衆回線２０４により伝達される冷凍庫への物品情報、２０６は会計装置１６に表示される物品情報、２０７は会計装置１６に入力される冷蔵庫利用者の電話番号である。冷蔵庫利用者が、販売店で物品を購入して会計を済ませる際、商品名と価格が会計装置１６に表示される。利用者が、冷蔵庫の冷凍室に収納する物品として商品名１、商品名３、商品名５及び商品名ｎの物品を指定すると、会計担当者が商品名１、商品名３、商品名５及び商品名ｎの物品を、冷凍室に収納することを会計装置１６に入力する。このとき冷凍室に収納される予定の商品名の前には丸印が表示される。また利用者は、自宅の冷蔵庫１に後述する冷凍庫への物品情報２０５を送信するために、冷蔵庫利用者の電話番号２０７を会計担当者に告げ、会計担当者は電話番号を入力する。
【００４２】
上記の作業を完了すると、会計装置１６は、冷凍庫に収納される予定の商品名に、この商品名に対応する物品の包装形態情報と重量情報とを付加した冷凍庫への物品情報２０５を作成し、会計装置の通信装置１７から公衆回線２０４を介して冷蔵庫利用者の電話番号２０７に対応する電話機２０１に冷凍庫への物品情報２０５を送信する。電話機２０１は、冷凍庫への物品情報２０５を受信した後、電話機側屋内通信装置２０２から屋内通信回線２０３を介して、冷蔵庫側屋内通信装置１８に冷凍庫への物品情報２０５を送信する。
【００４３】
１９はデータ解析手段（図３参照）であり、冷蔵庫側屋内通信装置１８を介して入力された冷凍庫への物品情報２０５から、商品名と、商品名に対応する包装形態情報と、商品名に対応する重量情報とを抽出し、数値判定手段２１と演算手段２２に送信する。
【００４４】
２０は第３の記録手段（図３参照）であり、図４に示すように、包装形態情報に対応する数値Ｃｐを定める規則を記録している。２１は数値判定手段であり、包装形態情報に対応する数値を定める規則に基づいて数値を判定する。
【００４５】
例えば、ある物品の包装形態が内容物と包装物とが密着した密着包装であるという情報を得た場合、予め第３の記録手段に記録されている密着包装に分類される商品に与えられるＣ（１）という値を、当該物品の包装形態対応数値Ｃｐとして判定する。包装形態対応数値Ｃｐは熱抵抗又は比熱に対応する数値であり、単位重量あたりの冷えにくさを表している。
【００４６】
２２は包装形態情報に対応する数値と商品名に対応する重量情報との積の合計を求める演算手段（図３参照）である。演算手段２２は、データ解析手段１９から重量情報を受信し、数値判定手段２１から包装形態対応数値Ｃｐを受信すると、包装形態対応数値Ｃｐと質量の積を求める。包装形態対応数値Ｃｐと質量の積は、熱容量に対応する数値であり、各商品の冷えにくさを表している。演算手段２２は、全ての商品について包装形態対応数値Ｃｐと質量の積を求めた後、全ての商品の包装形態対応数値Ｃｐと質量の積を合計し、合計値Ｘとして後述する予冷温度判定手段に送信する。合計値Ｘは貯蔵室３に収納される商品の熱負荷に対応する数値である。
【００４７】
２３は第４の記録手段（図３参照）であり、図５に示すような上記の合計値Ｘに対するメンバシップ関数Ｍ１（Ｘ）、Ｍ２（Ｘ）、Ｍ３（Ｘ）を記録しており、またメンバシップ関数Ｍ１（Ｘ）、Ｍ２（Ｘ）、Ｍ３（Ｘ）のそれぞれに対する温度下げ幅ΔＴ１、ΔＴ２、ΔＴ３、及び、冷蔵室扉または冷凍室扉開閉時の温度上昇に対応する温度下げ幅ΔＴ４を記録している。予冷温度判定手段２４は、メンバシップ関数およびメンバシップ関数に対する温度下げ幅を参照し、下記式１から温度下げ幅ΔＴを決定する。
【００４８】
［数１］
ΔＴ＝（ΔＴ１×Ｍ１（Ｘ）＋ΔＴ２×Ｍ２（Ｘ）＋ΔＴ３×Ｍ３（Ｘ））／（Ｍ１（Ｘ）＋Ｍ２（Ｘ）＋Ｍ３（Ｘ））＋ΔＴ４・・・式１
上記の説明ではメンバシップ関数から温度下げ幅ΔＴを決定しているが，合計値Ｘから温度下げ幅ΔＴを直接決定するような関数又は対応表を用いてもよい。
【００４９】
予冷温度判定手段２４は、入力手段１０から入力された冷凍室設定温度ＴＦＳＥＴに対し、下記式２から予冷設定温度ＴＳＥＴ２を決定する。
【００５０】
［数２］
ＴＦＳＥＴ２＝ＴＦＳＥＴ−ΔＴ・・・式２
また、予冷温度判定手段２４は、予冷設定温度ＴＦＳＥＴ２に対して所定の温度だけ高い予冷上限温度ＴＦＨ２と、予冷設定温度ＴＦＳＥＴ２に対して所定の温度だけ低い予冷上限温度ＴＦＬ２とを決定する。
【００５１】
２５は予冷運転制御手段（図３参照）である。予冷運転制御手段２５は、第１の記録手段１１に記録されている冷凍室設定温度ＴＦＳＥＴを、予冷設定温度ＴＦＳＥＴ２に置換し、冷凍室上限温度ＴＦＨを、予冷上限温度ＴＦＨ２に置換し、冷凍室下限温度ＴＦＬを、予冷下限温度ＴＦＬ２に置換し、運転制御手段１５を介して予冷運転制御を行う。
【００５２】
以下図８のフローチャートを用いて予冷運転制御を説明する。
Ｓ１１において、運転制御手段１５は、冷凍室温度と予冷上限温度ＴＦＨ２とを比較し、冷凍室温度が予冷上限温度ＴＦＨ２以上の場合にはＳ１２に進み、冷凍室温度が予冷上限温度ＴＦＨ２未満の場合には冷蔵室が既に冷却されているものと見なしてＳ１６に進む。Ｓ１２において、運転制御手段１５は、三方弁４０をＦ方向に切替え、圧縮機４を通常運転時よりも高回転数で運転し、冷凍室用ファン３５を運転し、Ｓ１３に進む。Ｓ１３において、運転制御手段１５は、冷凍室温度と予冷下限温度ＴＦＬ２とを比較し、冷凍室温度が予冷下限温度ＴＦＬ２以下の場合には冷凍室が冷却されているものと見なしてＳ１６に進み、冷凍室温度が冷凍室下限温度ＴＦＬ２よりも高い場合にはＳ１４に進む。
【００５３】
Ｓ１４において、運転制御手段１５は、冷凍室用ファン３５の運転開始時からの経過時間ＴＩＭＥ（Ｆ）を所定の時間ＴＳ（Ｆ）と比較し、経過時間ＴＩＭＥ（Ｆ）が所定の時間ＴＳ（Ｆ）以上の場合にはＳ１６に進み、経過時間ＴＩＭＥ（Ｆ）が所定の時間ＴＳ（Ｆ）未満の場合はＳ１５に進む。Ｓ１５において、予冷運転制御手段２５が予冷解除信号を受信している場合、商品の収納が始まったものとして予冷運転は終了する。予冷運転制御手段２５が予冷解除信号を受信していない場合にはＳ１３に戻る。Ｓ１６において、運転制御手段１５は、冷凍室用ファン３５を停止し、三方弁４０をＲＦ方向に切替え、Ｓ１７に進む。
【００５４】
Ｓ１７において、運転制御手段１５は、冷蔵室温度と冷蔵室上限温度ＴＲＨとを比較し、冷蔵室温度が冷蔵室上限温度ＴＲＨ以上の場合にはＳ１８に進み、冷蔵室温度が冷蔵室上限温度ＴＲＨ未満の場合には冷凍室が既に冷却されているものと見なしてＳ２２に進む。Ｓ１８において、運転制御手段１５は、圧縮機４を通常運転時よりも高回転数で運転し、冷蔵室用ファン３４を運転し、Ｓ１９に進む。Ｓ１９において、運転制御手段１５は、冷蔵室温度と冷蔵室下限温度ＴＲＬとを比較し、冷蔵室温度が冷蔵室下限温度ＴＲＬ以下の場合には冷凍室が予冷するために充分なだけ冷却されているものと見なしてＳ２２に進み、冷蔵室温度が冷蔵室下限温度ＴＲＬよりも高い場合にはＳ２０に進む。
【００５５】
Ｓ２０において、運転制御手段１５は、冷蔵室用ファン３４の運転開始時からの経過時間ＴＩＭＥ（Ｒ）を所定の時間ＴＳ（Ｒ）と比較し、経過時間ＴＩＭＥ（Ｒ）が所定の時間ＴＳ（Ｒ）以上の場合にはＳ２２に進み、経過時間ＴＩＭＥ（Ｒ）が所定の時間ＴＳ（Ｒ）未満の場合にはＳ２１に進む。Ｓ２１において、予冷運転制御手段２５が、予冷解除信号を受信している場合、物品の収納が始まったものとして予冷運転は終了する。予冷運転制御手段２５が予冷解除信号を受信していない場合にはＳ１９に戻る。
【００５６】
Ｓ２２において、運転制御手段１５は、圧縮機４と冷蔵室用ファン３４とを停止し、Ｓ２３に進む。Ｓ２３において、予冷運転制御手段２５が予冷解除信号を受信している場合、物品の収納が始まったものとして予冷運転は終了する。予冷運転制御手段２５が予冷解除信号を受信していない場合にはＳ１１に戻る。予冷運転終了後、予冷運転制御手段２５は第１の記録手段に記録されている予冷設定温度ＴＦＳＥＴ２を冷凍室設定温度ＴＦＳＥＴに置換し、予冷上限温度ＴＦＨ２を冷凍室上限温度ＴＦＨに置換し、予冷下限温度ＴＦＬ２を冷凍室下限温度ＴＦＬに置換し、図６に示すような通常の運転制御を運転制御手段１５に行わせる。
【００５７】
上記のように予冷運転においては、冷凍室温度を通常の設定値よりも低い値にするように、所定の時間ＴＳ（Ｆ）の間、排他的に冷凍室の冷却を行う。また、上記のように冷蔵室と冷凍室のファンの運転開始時からの経過時間ＴＩＭＥ（Ｒ）またはＴＩＭＥ（Ｆ）を参照して三方弁の方向を切替えることにより，冷蔵室と冷凍室のいずれか一方を冷却している間に他方が許容できないほど庫内温度が上昇することを避けることができる。
【００５８】
上記の予冷運転を行い、冷凍室に物品を収納する前後における、冷蔵室及び冷凍室の温度変化の一例を図９によって説明する。図９では、冷蔵室の冷却が行われている途中で冷凍庫への物品情報２０５が冷蔵庫１に伝達され、予冷運転が開始されている。このとき、冷凍室温度は予冷上限温度ＴＦＨ２よりも低いため、運転制御は図８のフローチャートのＳ１１からＳ１２に進み、冷蔵室用ファンが停止し、運転制御手段１５は三方弁４０をＦ方向に切替え、圧縮機４の高回転数運転と冷凍室用ファン３５の運転を行う。運転制御はさらにＳ１３に進み、運転制御手段１５は冷凍室温度と予冷上限温度ＴＦＨ２と比較を行う。冷凍室温度は予冷上限温度ＴＦＨ２よりも高いため、運転制御はＳ１４に進む。
【００５９】
Ｓ１４では冷凍室用ファン３５の運転開始からの経過時間ＴＩＭＥ（Ｆ）を所定の時間ＴＳ（Ｆ）と比較し、経過時間ＴＩＭＥ（Ｆ）が所定の時間ＴＳ（Ｆ）よりも小さいと判断して、Ｓ１５に進む。Ｓ１５では予冷解除信号を予冷運転制御手段２５が受信しているかいないかを確認し、予冷解除信号を受信していない場合Ｓ１３に戻る。予冷解除信号が予冷運転制御手段２５に届いていない間は、制御はＳ１３とＳ１５との間で繰り返され、冷凍室の冷却が続けられる。予冷下限温度ＴＦＬ２に達していない時点で収納が開始され、予冷解除信号が予冷運転制御手段２５に届くと、予冷運転は終了し、通常の運転に戻る。
【００６０】
以上のように予冷運転制御を行うと、冷凍室内の空気と冷凍室のまわりの断熱壁４５とが冷却され、図９に実線で示すように、収納開始時には予冷運転によって冷凍室の温度が充分に低下する。収納時には冷凍室内部の空気が冷蔵庫外に流出して温度上昇が起こるが、冷凍室のまわりの断熱壁４５が予冷運転によって通常よりも低い温度に冷却されているため、図９に点線で示す予冷運転を行わない場合の温度変化に比べて、収納終了時の冷凍室温度は低く押さえられ、冷凍されていた物品の融解、融解に伴う物品の材質劣化を抑制できる。また、冷凍室の周りの断熱壁４５が予冷運転によって通常よりも低い温度に冷却されているので、冷凍サイクル８が冷凍室の冷却を行わない間は、冷凍室のまわりの断熱壁４５に蓄積された冷却力によって、新規に収納された物品の冷却が行われる。上記の説明では、蓄冷手段として冷凍室のまわりの断熱壁４５を用いているが、断熱壁４５の一部を蓄熱材とすることや、冷凍室内に熱容量のある容器を設置することによって蓄冷効果を増してもよい。
【００６１】
第１実施例に述べてきたように、本実施例の冷蔵庫では、物品を購入した冷蔵庫の使用者が、購入店から自宅に戻るまでの時間を利用して、冷凍室の温度を予め設定してある庫内温度よりも下げ、物品を冷蔵庫に収納する際の庫内温度上昇を抑えることができ、冷凍室に収納されている物品の品質が低下することを阻止する。また、本実施例の冷蔵庫は、与えられる包装形態情報又は重量情報に基づいて、予め設定されている庫内温度からどの程度低い温度にするかを演算するため、冷蔵庫使用者が、購入した物品から予測して冷凍室の庫内温度設定を変化させるものと異なり、庫内温度が上昇しすぎて物品の品質を損なうことがなく、庫内温度が下がりすぎて余分な電力を使用することがなく、使用者に負担をかけることがない。
【００６２】
以上の説明では、冷凍室へ物品収納を行う場合の予冷運転について述べたが、次に冷蔵室への物品収納を行う場合の予冷運転について述べる。
【００６３】
店頭での会計時に、所定の物品を冷蔵室２に収納することを、利用者が会計担当者に告げると、冷凍室への物品情報送信過程と同様の過程で冷蔵室への物品収納情報が公衆回線２０４および屋内通信回線２０３を経て冷蔵庫側屋内通信装置１８へと送信される。データ解析手段１９は、冷蔵庫側屋内通信装置１８を介して入力された冷蔵室への物品情報から包装形態情報と重量情報とを数値判定手段２１と演算手段２２に送信する。
【００６４】
冷凍室への物品収納時と同様に、数値判定手段２１は包装形態に対応する数値Ｃｐを判定し、演算手段２２は重量情報と包装形態対応数値Ｃｐから合計値Ｘを算出する。更に、予冷温度判定手段２４は、合計値Ｘから予冷設定温度ＴＳＥＴ２を決定する。また予冷温度判定手段２４は、予冷設定温度ＴＦＳＥＴ２に対して、所定の温度だけ高い予冷上限温度ＴＦＨ２と、予冷設定温度ＴＦＳＥＴ２に対して、所定の温度だけ低い予冷上限温度ＴＦＬ２を決定する。
【００６５】
以上の作業を経て以降、予冷運転制御手段２５は、運転制御手段１５を介して、前述した図８に示すフローチャートに従った予冷運転制御を行う。この予冷運転における冷蔵室及び冷凍室の温度変化の例を、図１０を用いて説明する。
【００６６】
図１０では、冷蔵室の冷却が行われている途中で予冷運転が開始されている。Ｓ１１において、運転制御手段１５は冷凍室温度と予冷上限温度ＴＦＨ２との比較を行う。冷凍室温度は予冷上限温度ＴＦＨ２よりも高いため、制御はＳ１２に進む。Ｓ１２において、運転制御手段１５は、三方弁をＦ方向に切替え、圧縮機４の高回転数運転と冷凍室ファン３５の運転を行う。次にＳ１３に進むが、冷凍室温度が予冷下限温度ＴＦＬ２以上であるため、Ｓ１４に進む。Ｓ１４では冷凍室用ファン３５の運転開始からの経過時間ＴＩＭＥ（Ｆ）を所定の時間ＴＳ（Ｆ）と比較するが、経過時間ＴＩＭＥ（Ｆ）が所定の時間ＴＳ（Ｆ）よりも小さい場合、Ｓ１５に進む。
【００６７】
Ｓ１５では予冷解除信号を予冷運転制御手段２５が受信しているかいないかを確認し、予冷解除信号を受信していない場合にはＳ１３に戻る。予冷解除信号が予冷運転制御手段２５に届いていない間は、制御はＳ１３とＳ１５との間で繰り返され、冷凍室の冷却が続けられる。予冷下限温度ＴＦＬ２に達していない時点で収納が開始され、予冷解除信号が予冷運転制御手段２５に届くと、予冷運転は終了し、通常の運転に戻る。
【００６８】
以上のように予冷運転制御を行うと、図１０に実線で示すような冷蔵室と冷凍室の温度変化が起こる。また予冷運転を行わない場合の温度変化を図１０に点線で示す。図１０の例では予冷運転制御を行う場合も行わない場合も冷蔵室温度は収納終了時に冷蔵室上限温度ＴＲＨを超える。しかし、冷凍室温度に着目すると、予冷運転を行わない場合には冷蔵室の冷却をしている間に冷凍室温度が冷凍室上限温度ＴＦＨを超えてしまう。これに対し予冷運転を行う場合には、あらかじめ冷凍室を予冷しておいたため、冷凍室の温度は冷凍室上限温度ＴＦＨを超えずに済み、冷凍されていた商品の融解、融解に伴う商品の材質劣化を抑制できる。
【００６９】
図１２は、本発明による第２実施例の冷蔵庫の構成を示す図である。図１２において、１は冷蔵庫、２は冷蔵室、３は冷凍室、２８は冷蔵室扉、２９は冷凍室扉、４５は断熱壁である。４は圧縮機、５は凝縮器、６は毛細管、７は蒸発器であり、圧縮機４と、凝縮器５と、毛細管６と、蒸発器７と、を接続して冷凍サイクル８を構成している。
【００７０】
９は送風ファン、２７はダンパ、２６は風路である。送風ファン９と、ダンパ２７と、蒸発器７とは風路２６内部に設置されている。送風ファン９は冷蔵室２および冷凍室３の空気を、蒸発器７を通過させて冷却し、風路２６を経由して冷蔵室２および冷凍室３に送風する。ダンパ２７が閉鎖されている時、冷蔵室２には送風ファン９からの空気は送られず、冷凍室３にのみ空気が送られる。
【００７１】
１０は冷蔵室２及び冷凍室３の設定温度を入力する入力手段である。１１は第１の記録手段であり、入力手段１０から入力された冷蔵室設定温度ＴＲＳＥＴと、冷凍室設定温度ＴＦＳＥＴとを記録する。また第１の記録手段１１は、冷蔵室設定温度ＴＲＳＥＴよりも所定の温度だけ高い冷蔵室上限温度ＴＲＨと、冷蔵室設定温度ＴＲＳＥＴよりも所定の温度だけ低い冷蔵室下限温度ＴＲＬと、冷凍室設定温度ＴＦＳＥＴよりも所定の温度だけ高い冷凍室上限温度ＴＦＨと、冷凍室設定温度ＴＦＳＥＴよりも所定の温度だけ低い冷凍室下限温度ＴＦＬとを記録する。３０は冷蔵室２に設けた温度センサであり、３１は冷凍室３に設けた温度センサである。１３は冷蔵室温度センサ３０と冷凍室温度センサ３１とにより冷蔵室２と冷凍室３の温度を検出する温度検出手段である。
【００７２】
１４は第２の記録手段であり、検出された冷蔵室温度と、冷凍室温度と、冷蔵室上限温度ＴＲＨと、冷蔵室下限温度ＴＲＬと、冷凍室上限温度ＴＦＨと、冷凍室下限温度ＴＦＬと、の関係に基づいて、圧縮機４と、ダンパ２７と、送風ファン９との制御を行う運転制御規則を記録する。１５は運転制御手段であり、運転制御規則に基づいて、圧縮機４と、ダンパ２７と、送風ファン９の制御を行う。
【００７３】
運転制御手段１５による圧縮機４と、ダンパ２７と、送風ファン９の運転制御を図１３及び図１４を用いて説明する。図１３は運転制御手段１５による運転制御を示すフローチャートである。また、図１４は冷蔵室および冷凍室の温度変化と、圧縮機４と、ダンパ２７と、送風ファン９の制御状況を示す図である。
【００７４】
図１３の運転制御スタート時には、圧縮機４と送風ファン９は停止しており、ダンパ２７は閉鎖しているものとする。Ｓ１０１において、運転制御手段１５は、冷蔵室温度と冷蔵室上限温度ＴＲＨとを比較し、冷蔵室温度が冷蔵室上限温度ＴＲＨ以上の場合にはＳ１０２に進み、冷蔵室温度が冷蔵室上限温度ＴＲＨ未満の場合には冷蔵室が既に冷却されているものと見なしてＳ１０４に進む。Ｓ１０２において、運転制御手段１５は、圧縮機４と送風ファン９とを運転し、ダンパ２７を開放してＳ１０３に進む。Ｓ１０３において、運転制御手段１５は、冷蔵室温度と冷蔵室下限温度ＴＲＬとを比較し、冷蔵室温度が冷蔵室下限温度ＴＲＬ以下の場合には冷蔵室が冷却されているものと見なしてＳ１０４に進み、冷蔵室温度が冷蔵室下限温度よりも高い場合には冷蔵室の冷却を継続することが必要であると見なしてＳ１０３に戻る。
【００７５】
Ｓ１０４において、運転制御手段１５はダンパ２７を閉鎖し、Ｓ１０５に進む。Ｓ１０５において、運転制御手段１５は、冷凍室温度と冷凍室上限温度ＴＦＨとを比較し、冷凍室温度が冷凍室上限温度ＴＦＨ以上の場合にはＳ１０６に進み、冷凍室温度が冷凍室上限温度ＴＦＨ未満の場合には冷凍室が既に冷却されているものと見なしてＳ１０８に進む。Ｓ１０６において、運転制御手段１５は、運転制御手段１５と、圧縮機４と、送風ファン９とが既に運転されている場合には運転を継続し、圧縮機４と送風ファン３５とが停止している場合には起動し、Ｓ１０７に進む。
【００７６】
Ｓ１０７において、運転制御手段１５は、冷凍室温度と冷凍室下限温度ＴＦＬとを比較し、冷凍室温度が冷凍室下限温度ＴＦＬ以下の場合には冷凍室が冷却されているものと見なしてＳ１０８に進み、冷凍室温度が冷凍室下限温度ＴＦＬよりも高い場合には冷凍室の冷却を継続するためにＳ１０７に戻る。Ｓ１０８において、運転制御手段１５は圧縮機４と送風ファン９を停止し、Ｓ１０１に戻る。上記のように運転制御を行うことにより、安定時には冷蔵室２および冷凍室３の温度は、図１４に示すように変動する。
【００７７】
店頭での会計時に所定の物品を冷蔵室に収納することを利用者が会計担当者に告げると、第１実施例の冷蔵庫への物品収納情報送信過程と同様の過程で、第２実施例の冷蔵庫への物品情報が公衆回線２０４及び屋内通信回線２０３を経て冷蔵庫側屋内通信装置１８へと送信される。データ解析手段１９は、冷蔵庫側屋内通信装置１８を介して入力された冷蔵室への物品収納情報から包装形態情報と重量情報とを数値判定手段２１と演算手段２２に送信する。
【００７８】
第１実施例の冷蔵庫への物品収納時と同様に、数値判定手段２１は包装形態に対応する数値Ｃｐを判定し、演算手段２２は重量情報と包装形態対応数値Ｃｐから合計値Ｘを算出する。更に、予冷温度判定手段２４は、合計値Ｘから予冷設定温度ＴＳＥＴ２を決定する。また、予冷温度判定手段２４は、予冷設定温度ＴＦＳＥＴ２に対して所定の温度だけ高い予冷上限温度ＴＦＨ２と、予冷設定温度ＴＦＳＥＴ２に対して所定の温度だけ低い予冷上限温度ＴＦＬ２を決定する。
【００７９】
以上の作業を経て以降、予冷運転制御手段２５は、運転制御手段１５を介して、図１５に示すフローチャートに従った予冷運転制御を行う。予冷運転開始時点で、予冷運転制御手段２５は、第１の記録手段に記録されている冷凍室設定温度ＴＦＳＥＴを予冷設定温度ＴＦＳＥＴ２に置換し、冷凍室上限温度ＴＦＨを予冷上限温度ＴＦＨ２に置換し、冷凍室下限温度ＴＦＬを予冷下限温度ＴＦＬ２に置換する。
【００８０】
Ｓ１１１において、運転制御手段１５は、ダンパ２７を閉鎖し、Ｓ１１２に進む。Ｓ１１２において、運転制御手段１５は、冷凍室温度と予冷上限温度ＴＦＨ２とを比較し、冷凍室温度が予冷上限温度ＴＦＨ２以上の場合にはＳ１１３に進み、冷凍室温度が予冷上限温度ＴＦＨ２を超えていない場合には冷凍室が既に冷却されているものと見なしてＳ１１７に進む。Ｓ１１３において、運転制御手段１５は、既に圧縮機４と送風ファン９が運転している場合には圧縮機４と送風ファン９の運転を継続し、圧縮機４と送風ファン９とが停止している場合にはそれぞれを起動して、Ｓ１１４に進む。
【００８１】
Ｓ１１４において、運転制御手段１５は、冷凍室温度と予冷下限温度ＴＦＬ２とを比較し、冷凍室温度が予冷下限温度ＴＦＬ２以下の場合には冷凍室が予冷するために充分なだけ冷却されているものと見なしてＳ１１７に進み、冷凍室温度が予冷下限温度ＴＦＬ２よりも高い場合にはＳ１１５に進む。Ｓ１１５において、運転制御手段１５は、送風ファン９の運転開始時からの経過時間ＴＩＭＥ（Ｆ）を所定の時間ＴＳ（Ｆ）と比較し、経過時間ＴＩＭＥ（Ｆ）が所定の時間ＴＳ（Ｆ）以上の場合にはＳ１１７に進み、経過時間ＴＩＭＥ（Ｆ）が所定の時間ＴＳ（Ｆ）未満の場合にはＳ１１６に進む。Ｓ１１６において、予冷運転制御手段２５が予冷解除信号を受信している場合、物品の収納が始まったものとして予冷運転は終了する。予冷運転制御手段２５が予冷解除信号を受信していない場合にはＳ１１４に戻る。
【００８２】
Ｓ１１７において、運転制御手段１５は、圧縮機４と送風ファン９を停止し、Ｓ１１８に進む。Ｓ１１８において、運転制御手段１５は、冷蔵室温度と冷蔵室上限温度ＴＲＨとを比較し、冷蔵室温度が冷蔵室上限温度ＴＲＨ以上の場合にはＳ１１９に進み、冷蔵室温度が冷蔵室上限温度ＴＲＨ未満の場合には冷凍室が既に冷却されているものと見なしてＳ１２２に進む。Ｓ１１９において、運転制御手段１５はダンパ２７を開放し、圧縮機４と送風ファン９を運転し、Ｓ１２０に進む。
【００８３】
Ｓ１２０において、運転制御手段１５は、冷蔵室温度と冷蔵室下限温度ＴＲＬとを比較し、冷蔵室温度が冷蔵室下限温度ＴＲＬ以下の場合には冷凍室が予冷するために充分なだけ冷却されているものと見なしてＳ１２２に進み、冷蔵室温度が冷蔵室下限温度ＴＲＬよりも高い場合にはＳ１２１に進む。Ｓ１２１において、予冷運転制御手段２５が予冷解除信号を受信している場合、物品の収納が始まったものとして予冷運転は終了する。予冷運転制御手段２５が予冷解除信号を受信していない場合にはＳ１２０に戻る。Ｓ１２２において、予冷運転制御手段２５が予冷解除信号を受信している場合、物品の収納が始まったものとして予冷運転は終了する。予冷運転制御手段２５が予冷解除信号を受信していない場合にはＳ１１１に戻る。
【００８４】
予冷運転終了後、予冷運転制御手段２５は、第１の記録手段に記録されている予冷設定温度ＴＦＳＥＴ２を冷凍室設定温度ＴＦＳＥＴに置換し、予冷上限温度ＴＦＨ２を冷凍室上限温度ＴＦＨに置換し、予冷下限温度ＴＦＬ２を冷凍室下限温度ＴＦＬに置換し、図１３に示すような通常の運転制御を運転制御手段１５に行わせる。
【００８５】
上記の予冷運転を行い、冷凍室に商品を収納する場合の冷蔵室及び冷凍室の温度変化を図１５及び図１６により説明する。
【００８６】
Ｓ１１１において、運転制御手段１５はダンパ２７を閉鎖し、制御はＳ１１２に進む。Ｓ１１２において、運転制御手段１５は、冷凍室温度と予冷上限温度ＴＦＨ２と比較を行う。冷凍室温度は、予冷上限温度ＴＦＨ２よりも高いため、制御はＳ１１３に進み、運転制御手段１５は圧縮機４と送風ファン９の運転を行う。次にＳ１１４に進むが、冷凍室温度が予冷下限温度ＴＦＬ２よりも高いため、Ｓ１１５に進む。Ｓ１１５において送風ファン運転時間ＴＩＭＥ（Ｆ）が所定の時間ＴＳ（Ｆ）を超えていないことが判断されると、制御はＳ１１６に進む。
【００８７】
予冷運転制御手段２５が予冷解除信号を受信していない間は、制御はＳ１１４からＳ１１６の間で繰り返され、冷凍室の冷却が続けられる。冷凍室温度が予冷下限温度ＴＦＬ２に達していない時点で収納が開始されると予冷解除信号が予冷運転制御手段２５に届き、予冷運転は終了し、通常の運転に戻る。
【００８８】
以上のように予冷運転制御を行うと、収納開始時から収納終了時にかけて図１６に実線で示すような冷凍室の温度変化が起こる。冷凍室の空気および冷凍室まわりの断熱壁４５は予冷運転によって通常運転時よりも冷却されているため、図１６に点線で示す予冷運転を行わない場合の温度変化に比べて、収納終了時の冷凍室温度は低く押さえられ、既に収納され冷凍されていた物品や氷の融解、また、融解に伴う物品の材質劣化を抑制できる。
【００８９】
第２の実施例では、冷蔵庫に対し、冷蔵室に物品を収納する情報を送信することにより、冷凍室を予め設定してある庫内温度よりも下げるため、多量の物品を冷蔵室に収納させても冷却空気の全て又は大部分を冷蔵室へ供給して迅速に冷蔵室の庫内温度を下げることができ、冷凍室の庫内温度も収納してある物品の品質を低下させる程の温度上昇をさせることがない。
【００９０】
上記の第1及び第２の実施例では、予冷解除ボタン４４が押されたときに発する信号を予冷解除信号としているが、冷蔵室又は冷凍室のドアスイッチが扉開放信号を一定時間以上送信し続けている場合、この扉開放信号を予冷解除信号とみなしてもよい。また、冷蔵室ドアスイッチ４２の開放信号が送信されて以後、冷蔵室温度センサ３０が検知する温度が所定の値以上に上昇した場合、検知された温度上昇を予冷解除信号とみなしてもよい。更に、冷凍室ドアスイッチ４３の開放信号が送信されて以後、冷蔵室温度センサ３１が検知する温度が所定の値以上に上昇した場合、検知された温度上昇を予冷解除信号とみなしてもよい。
【００９１】
また、庫内にＣＣＤカメラや赤外線センサなどを設け、物品の収納を直接検知し、庫内に収納された物品の増加情報を予冷解除信号とみなしてもよい。また、収納される物品に所定のセンサで検知可能なラベルを添付して、所定のセンサで庫内への物品の収納を検知し、その検知情報を予冷解除信号とみなしてもよい。また、冷蔵庫にタイマを具備し、予冷運転開始から所定の時間だけ経過したときにタイマから予冷解除信号を送信させてもよい。
【００９２】
但し、予冷解除ボタン４４に替わり、扉の開放信号又は庫内温度を利用する場合は、購入店より物品情報を送信してから、購入者が帰宅する迄の間に、在宅者が冷蔵庫の扉を一定時間以上開放させ、庫内温度が上昇すると、必用とする庫内温度に達する前に、予め設定してある庫内温度とする運転が開始されてしまう虞がある。
【００９３】
本発明による第３実施例は、上記問題に対応したものであり、運転保留手段として予冷運転保留スイッチを冷蔵庫に設置したものである。予冷運転保留スイッチは、押下されると保留信号を予冷運転制御手段２５に送信する。この信号を受信した予冷運転制御手段２５は、再び予冷運転保留スイッチからの信号を受信するまでは、予冷運転を維持し続ける。
【００９４】
即ち、冷蔵室又は冷凍室のドアスイッチからの扉開放信号が予冷解除信号とみなされるように構成した冷蔵庫では、予冷運転中に冷蔵庫内部の収納物を確認するために冷蔵室または冷凍室の扉を一定時間開け続けると予冷運転が終了してしまうという問題が発生する。しかし、冷蔵庫に上記の予冷運転保留スイッチを設け、冷蔵室または冷凍室のドアを開ける前に予冷運転保留スイッチを押しておけば、予冷運転中の物品収納前にドア開放をおこなっても、予冷運転を終了させないで済む。
【００９５】
上記の第１〜第３の実施例において、冷蔵庫に対する物品情報は、図２に示す過程を経て伝達してもよい。図２において２０８は利用者の持つ携帯電話、２０９は携帯電話のディスプレーである。
【００９６】
店頭での会計終了後、冷蔵庫の利用者は携帯電話の所定のキー操作により予冷運転開始画面を表示し、自宅の電話機２０１を指定して、通話ボタンを押す。この操作により公衆回線２０４を介して電話機２０１に冷凍室への物品情報が送信される。電話機２０１側での情報受信が終了すると、電話機２０１は通話を切断する。電話機２０１は屋内通信回線２０３を介して電話機側屋内通信装置２０２から冷蔵庫側屋内通信装置１８へと冷凍室への物品情報を送信する。
【００９７】
冷蔵庫１では、冷蔵庫側屋内通信装置１８からの冷凍室への物品情報を受信した後、冷凍室が予め設定された冷凍室設定温度よりも低い温度になるように、予冷運転制御手段２５及び運転制御手段１５による予冷運転を行う。予冷運転開始以降に予冷解除信号が予冷運転制御手段２５に届くと、冷凍室への物品収納が開始されたものとして予冷運転は終了し、冷凍室が予め設定された冷凍室温度になるような通常運転に切替えられる。
【００９８】
また、上記の実施例１〜３において、冷凍室又は冷蔵室への物品情報には、商品名と商品名に対応する包装形態と商品名に対応する重量とを記録したが、第３の記録手段２０において商品名と包装形態対応数値Ｃｐとを直接対応させ、Ｃｐを商品名対応数値として定義することにより、冷凍室または冷蔵室への物品収納情報に記録する内容を商品名と商品名に対応する重量とにすることも可能である。
【００９９】
【発明の効果】
本発明によれば、物品の包装形態情報又は重量情報を冷蔵庫に送信し、冷凍室を通常設定温度よりも冷やし、その後通常設定温度に戻すことにより、物品を冷蔵庫に収納する時の冷凍室の温度上昇を抑制することができる。
【図面の簡単な説明】
【図１】冷蔵庫に対する冷凍室への物品収納情報の伝達過程を示す第１の図
【図２】冷蔵庫に対する冷凍室への物品収納情報の伝達過程を示す第２の図
【図３】本発明による第１実施例の冷蔵庫の構成を示す図
【図４】商品の包装形態と数値の対応を示す図
【図５】合計値Ｘに対するメンバシップ関数を示す図
【図６】本発明による第１実施例の冷蔵庫の運転制御を示すフローチャート
【図７】本発明による第１実施例の冷蔵庫の運転制御による冷蔵室および冷凍室の温度変化を示す図
【図８】本発明による第１実施例の冷蔵庫の予冷運転制御を示すフローチャート
【図９】本発明による第１実施例の冷蔵庫の予冷運転制御による冷蔵室および冷凍室の温度変化を示す第１の図
【図１０】本発明による第１実施例の冷蔵庫の予冷運転制御による冷蔵室および冷凍室の温度変化を示す第２の図
【図１１】従来例の冷蔵庫の構成を示す図
【図１２】本発明による第２実施例の冷蔵庫の構成を示す図
【図１３】本発明による第２実施例の冷蔵庫の運転制御を示すフローチャート
【図１４】本発明による第２実施例の冷蔵庫の運転制御による冷蔵室および冷凍室の温度変化を示す図
【図１５】本発明による第２実施例の冷蔵庫の予冷運転制御を示すフローチャート
【図１６】本発明による第２実施例の冷蔵庫の予冷運転制御による冷蔵室および冷凍室の温度変化を示す図
【符号の説明】
１…冷蔵庫、２…冷蔵室、３…冷凍室、４…圧縮機、５…凝縮器、６…毛細管、７…蒸発器、８…冷凍サイクル、９…送風ファン、１０…入力手段、１１…第１の記録手段、１３…温度検出手段、１４…第２の記録手段、１５…運転制御手段、１６…会計装置、１７…会計装置の通信装置、１８…冷蔵庫側屋内通信装置、１９…データ解析手段、２０…第３の記録手段、２１…数値判定手段、２２…演算手段、２３…第４の記録手段、２４…予冷温度判定手段、２５…予冷運転制御手段、２６…風路、２７…ダンパ、２８…冷蔵室扉、２９…冷凍室扉、３０…冷蔵室温度センサ、３１…冷凍室温度センサ、３２…冷蔵室用蒸発器、３３…冷凍室用蒸発器、３４…冷蔵室用ファン、３５…冷凍室用ファン、３６…冷蔵室風路、３７…冷凍室風路、３８…冷蔵室用毛細管、３９…冷凍室用毛細管、４０…三方弁、４２…冷蔵室ドアスイッチ、４３…冷凍室ドアスイッチ、４４…予冷解除ボタン、４５…断熱壁、
１０１…冷蔵庫本体、１０２…冷凍室、１０３…冷蔵室、１０４…圧縮機、１０５…凝縮器、１０６…蒸発器、１０７…ダンパ、１０８…冷凍室温度センサ、１０９…冷蔵室温度センサ、１１０…冷凍室温度検知手段、１１１…冷凍室温度設定値決定手段、１１２…圧縮機制御手段、１１３…冷蔵室温度検知手段、１１４…冷蔵室温度設定値決定手段、１１５…ダンパ制御手段、１１６…送信タイマ、１１７…冷蔵庫送信手段、１１８…通信装置、１１９…受信手段、１２０…冷蔵庫データ解析手段、１２１…リモコン、１２２…表示器、１２３…スイッチ群、１２３１…室切換スイッチ、１２３２…低設定変更スイッチ、１２３３…高設定変更スイッチ、１２４…庫内温度設定手段、１２４１…冷凍室温度設定手段、１２４２…冷蔵室温度設定手段、１２５…リモコン送信手段、１２６…リモコン受信手段、１２７…リモコンデータ解析手段、１２９…表示手段
２０１…電話機、２０２…電話機側屋内通信装置、２０３…屋内通信回線、２０４…公衆回線、２０５…冷凍庫への物品情報、２０６…会計装置上に表示される物品情報、２０７…冷蔵庫の利用者の電話番号、２０８…携帯電話、２０９…ディスプレー
【図１】
0004082018.tif 000002
【図２】
0004082018.tif 000003
【図３】
0004082018.tif 000004
【図４】
0004082018.tif 000005
【図５】
0004082018.tif 000006
【図６】
0004082018.tif 000007
【図７】
0004082018.tif 000008
【図８】
0004082018.tif 000009
【図９】
0004082018.tif 000010
【図１０】
0004082018.tif 000011
【図１１】
0004082018.tif 000012
【図１２】
0004082018.tif 000013
【図１３】
0004082018.tif 000014
【図１４】
0004082018.tif 000015
【図１５】
0004082018.tif 000016
【図１６】
0004082018.tif 000017